(57)【要約】【課題】  使用者が分別回収用の摘み部を注出口開放用の把持部と誤って操作する可能性が少なく、分別回収時には容易に容器口から分離できるキャップ体を提供する。【解決手段】  容器口に嵌装するキャップ本体１は、容器口に嵌合する胴部を切り裂くための胴部弱化線と、この胴部弱化線を跨ぐように胴部の周りに延設された保護部７を切り裂くための保護部弱化線８と、この保護部弱化線８の上方に摘み部１４とを備えているので、分別回収時には、摘み部１４を操作し保護部弱化線８と胴部弱化線とを順次切り裂き、キャップ本体１を容易に容器口から分離させることができる。しかも、キャップ本体１に蓋体３が被冠されている場合には、この摘み部１４を容易に操作できないので、最初に内容液を注出する栓を開ける時、誤って分別回収用の摘み部１４を操作する可能性は少ない。【選択図】        図６
2005029232.tif 000002
【特許請求の範囲】
【請求項１】
容器口に装着するための略円筒状のキャップ本体であって、前記キャップ本体は、胴部に設けた該胴部を切り裂くための縦方向に延びる胴部弱化線と、該胴部弱化線に沿った前記胴部の外周部から一体に形成されると共に前記胴部弱化線を跨ぐように前記胴部の周りを隙間を置いて延設する保護部とを有する容器から分離可能なキャップ体において、
前記保護部の内側に、該保護部を縦方向に切り裂くための保護部弱化線を設けると共に、該保護部弱化線を上から下に切り裂くための摘み部を設けることを特徴とする容器から分離可能なキャップ体。
【請求項２】
前記保護部弱化線を二個所設け、これら保護部弱化線により形成される切除部と前記胴部との間に空間部を設けることを特徴とする請求項１に記載の容器から分離可能なキャップ体。
【請求項３】
前記摘み部を前記切除部の上部に沿って上方に突出させて構成することを特徴とする請求項２に記載の容器から分離可能なキャップ体。
【請求項４】
前記保護部弱化線を前記キャップ本体と蓋体とを連結するヒンジ部の近傍に設け、前記胴部弱化線を前記ヒンジ部を介して前記保護部弱化線と反対側に設けると共に、前記摘み部を前記ヒンジ部または前記蓋体で構成することを特徴とする請求項１に記載の容器から分離可能なキャップ体。
【発明の詳細な説明】
【技術分野】
【０００１】
本発明は、分別回収の際、内容液が充填する容器の容器口から容易に分離できるキャップ体に関するものである。
【背景技術】
【０００２】
従来から、容器口に嵌装しているキャップ体は、分別回収するために、キャップ本体を容器口から容易に分離できるように、キャップ本体の一部に破断し易い部分を形成した発明が種々提案されている。
一般的には、キャップ本体の胴体等に、胴部を切断可能な弱化線を形成すると共に、キャップ本体を容器口から分離させるとき把持する部位を切欠状に形成し、この切欠に指先を入れ、指先で切欠部の端部を摘んで弱化線に沿って外方に引張ることにより、胴部を分割し容器口とキャップ本体とを分離させていた。
【０００３】
そこで、従来の容器口から分離可能なキャップ体を図１３及び図１４に基いて説明する。
従来の容器口に嵌装するように設けたキャップ本体５０には、ヒンジ部２を介して蓋体３が連設されている。このキャップ本体５０は、円筒状体からなり、内容液が注出される注出口４と、この注出口４を形成する周壁４ａとの間で容器口と嵌装する胴部５と、この胴部５を縦方向に切り裂くための胴部弱化線６と、この胴部弱化線６に沿った胴部５の外周面から胴部弱化線６を跨ぐように胴部５と隙間を置いて延設する保護部５１とから概略構成されている。
【０００４】
保護部５１には、図１３で示す位置Ｃに、その下方に指先が入る程度の幅及び深さの切欠部５２が形成されており、切欠部５２の上部には、保護部５１を縦方向に切り裂く保護部弱化線５３が形成されている。
そして、キャップ本体５０を容器口から分離させる際には、この切欠部５２に指先を入れて、切欠部５２の端部５４を、矢印方向に指先で起こしながら上方に引張るようにして、切欠部５２の上部に設けた保護部弱化線５３を下から上へ切り裂く。その後、把持した端部５４を反時計周り方向に胴部弱化線６の位置まで引張りながら回転させて、保護部５０を胴部５から切り離す。さらに、この端部５４を上方に引張りながら胴部弱化線６を下から上に切り裂き、分割された胴部５から容器口を露出させれば、あとは容易にキャップ体を容器口から分離させることができる。
【０００５】
しかしながら、上述した構造であると、分別回収用の摘み部、すなわち切欠部５２の端部５４が外部に露出しており、この端部５４を容易に指先で摘むことができるので、最初に容器内の内容液を注出する栓を開ける時、分別回収用の摘み部を注出口開放用の把持部と誤って操作してしまい、キャップ本体と容器口とを分離させてしまう、という問題があった。
そこで、この問題点を対策するために、特許文献１には、容器の口部外周に係合する筒部の縦方向に、二条の弱化線を形成した裂き取り部を構成し、その上端部に同心状に設けた把持部を一体に接続して形成し、その把持部を覆う外蓋を設けた分別回収の容易なキャップが開示されている。
【０００６】
【特許文献１】特開平１１−３２１９１３号公報
【発明の開示】
【発明が解決しようとする課題】
【０００７】
上述したように、分別回収用の摘み部が外部に露出していると、最初に容器内の内容液を注出する栓を開く時、分別回収用の摘み部を誤って操作してしまい、不都合が生じる虞がある。この課題を対策した従来技術として、特許文献１の分別回収の容易なキャップは、外蓋で閉められている状態では、分別回収用の把持部は、注出筒と外蓋との間に収容され外部に露出されないが、外蓋を開けると、使用者は分別回収用の把持部と、注出口開放用のプルリングとの両方を目視することになり、誤って分別回収用の把持部を操作する可能性がある。しかも、この形態では、誤って分別回収用の把持部を操作した場合には、一気にキャップが分割され容器口からキャップが分離してしまい、以後の使用が不可能となる。
【０００８】
本発明は、かかる点に鑑みてなされたものであり、使用者が分別回収用の摘み部を注出口開放用の把持部と誤って操作する可能性が少なく、分別回収時には容易に容器口から分離できるキャップ体を提供することを目的とする。
【課題を解決するための手段】
【０００９】
本発明は、上記課題を解決するための手段として、請求項１に記載した発明は、容器口に装着するための略円筒状のキャップ本体であって、前記キャップ本体は、胴部に設けた該胴部を切り裂くための縦方向に延びる胴部弱化線と、該胴部弱化線に沿った前記胴部の外周部から一体に形成されると共に前記胴部弱化線を跨ぐように前記胴部の周りを隙間を置いて延設する保護部とを有する容器から分離可能なキャップ体において、前記保護部の内側に、該保護部を縦方向に切り裂くための保護部弱化線を設けると共に、該保護部弱化線を上から下に切り裂くための摘み部を設けることを特徴とするものである。
このように構成することにより、使用者が最初に容器内の内容液を注出する栓を開く時、蓋体がキャップ体に被冠されている場合には、分別回収用の摘み部は、保護部の上部で使用者の目にとまりにくい場所にあり、しかも容易には摘み部を摘むことが出来ないので、注出口開放用の把持部と誤って先に操作する可能性は少ない。また、蓋体を開放した状態の場合に、使用者が誤って分別回収用の摘み部を操作して保護部を分離させた場合でも、その時点ではまだ、容器口に嵌装している胴部が切り裂かれていないので、以後通常の使用が可能となる。
【００１０】
請求項２に記載した発明は、請求項１に記載した発明において、前記保護部弱化線を二個所設け、これら保護部弱化線により形成される切除部と前記胴部との間に空間部を設けることを特徴とするものである。
このように構成することにより、分別回収時には、切除部を容易に保護部から分離させ保護部を分割させることができる。
【００１１】
請求項３に記載した発明は、請求項２に記載した発明において、前記摘み部を前記切除部の上部に沿って上方に突出させて構成することを特徴とするものである。
このように構成することにより、分別回収時には、摘み部により容易に切除部を下方に引張ることができ、切除部の両側の保護部弱化線を切り裂き、保護部を容易に分割させることができる。
【００１２】
請求項４に記載した発明は、請求項１に記載した発明において、前記保護部弱化線を前記キャップ本体と蓋体とを連結するヒンジ部の近傍に設け、前記胴部弱化線を前記ヒンジ部を介して前記保護部弱化線と反対側に設けると共に、前記摘み部を前記ヒンジ部または前記蓋体で構成することを特徴とするものである。
このように構成することにより、軽い力で容易に保護部及び胴部を順次分割させることができる。
【発明の効果】
【００１３】
本発明の請求項１に記載した発明によれば、容器口に嵌装されるキャップ本体の胴部の周りに延設する保護部に、この保護部を縦方向に切り裂くための保護部弱化線を設け、さらに、この保護部弱化線を上から下へ切り裂くための摘み部を設けているので、使用者が内容液を始めて使用する際、蓋体がキャップ体に被冠されている場合には、分別回収用の摘み部は、保護部の上部で使用者の目にとまりにくい場所にあり、しかも容易には摘むことができないので、注出口開放用の把持部と誤って先に操作する可能性は少ない。また、蓋体を開放した状態の場合には、使用者が誤って分別回収用の摘み部を操作して保護部を分離させた場合でも、その時点ではまだ、容器口に嵌装している胴部が切り裂かれていないので、以後通常の使用が可能となる。
【００１４】
請求項２に記載した発明によれば、保護部弱化線を二個所設け、これらの保護部弱化線により形成された切除部と胴部との間に空間部を設けたので、分別回収時、切除部を保護部から軽い力で分離でき、分割された保護部の端部を操作し胴部を分割してキャップ体を容器口から容易に分離させることが可能になる。
【００１５】
請求項３に記載した発明によれば、摘み部を切除部の上部に沿って上方に突出させて構成したので、分別回収時、摘み部を軽い力で下方に引張ることにより、切除部を保護部から容易に分離でき、分割された保護部の端部を操作し胴部を分割してキャップ体を容器口から容易に分離させることが可能になる。
【００１６】
請求項４に記載した発明によれば、保護部弱化線をキャップ体と蓋体とを連結するヒンジ部の近傍に設け、胴部弱化線をヒンジ部を介して保護部弱化線と反対側に設けると共に、摘み部をヒンジ部または蓋体で構成したので、軽い力で保護部及び胴部を順次切り裂くことができ、キャップ体を容器口から容易に分離させることが可能になる。
【発明を実施するための最良の形態】
【００１７】
以下、本発明を実施するための最良の形態を３形態説明する。まず、本発明の第１の実施の形態を図１〜図６に基いて説明する。なお、この第１の実施の形態の説明する際、従来例と同一部分及び相当する部分は、同一符号を使用して説明する。
本発明の第１の実施の形態に係る容器から分離可能なキャップ体は、合成樹脂で形成されており、図１及び図２に示すように、図示しない容器口に嵌装し、内容液の注出口４を有する略円筒形状に形成されたキャップ本体１と、このキャップ本体１とヒンジ部２を介して連結される蓋体３とから構成されている。
【００１８】
キャップ本体１は、図１及び図２に示すように、注出口４と、この注出口４の外側に位置する胴部５と、この胴部５に設けた胴部５を縦方向に切り裂くための胴部弱化線６と、この胴部弱化線６に沿った胴部５の外周部から一体に形成されると共に胴部弱化線６を跨ぐように胴部５の周りに隙間を置いて延設した保護部７と、この保護部７に設けた保護部７を縦方向に切り裂くための保護部弱化線８とから概略構成されている。
また、このキャップ本体１は、注出口４の壁部４ａの外周面と胴部５の内周面との間に形成された環状空間４ｂ、及び胴部５の内周面に周方向に延びる係合突条５ａを備えている。そして、容器口にキャップ本体１の環状空間４ａを嵌合し、胴部５の内周面に設けた係合突条５ａが、容器口の外周面を押圧した状態で係合する。
さらに、キャップ本体１には、注出口４を塞ぐ栓２０と、この栓２０を、その周辺を切断して開放するリング状の把持部２１が形成されている。そして、使用者が最初に内容液を使用する時には、把持部２１を上方に引張って、栓２０の周辺を切り裂いて内容液を使用することになる。
【００１９】
胴部弱化線６は、図３及び図４に示すように、胴部５を切り裂くために、縦方向に胴部５を内方に凹ました薄肉部９から構成されている。この薄肉部９は、幅広部分９ｂと幅狭部分９ａとから構成されている。この幅広部分９ｂには、外方に突出する略半円状の凸条部９ｃが、所定の間隔をあけて複数条上下方向に形成され、これら隣接する凸条部９ｃの谷間には、薄膜部９ｄが形成されている。また、幅狭部分９ａには、幅広部分９ｂに形成された薄膜部９ｄから連続して、薄膜部９ｄより僅かに厚く形成された薄膜部９ｄ’が、上下方向に形成されており、その両側には、傾斜して薄膜部９ｄ’に臨む傾斜壁部１０と、垂直に薄膜部９ｄ’に臨む垂直壁部１１とが形成されている。この垂直壁部１１が、胴部５から立設する保護部７の基部となっている。
この第１の実施の形態では、上述した胴部弱化線６の構造を採用したが、胴部５を容易に切り裂くことができれば、この構造に限定されるものではない。
【００２０】
図１及び図２に示すように、垂直壁部１１の個所で胴部５と一体に設けられた保護部７は、胴部５と同じ高さで取り巻く帯状体である。すなわち、保護部７は、胴部５の外周部に設けた胴部弱化線６に沿って縦方向に接続されており、保護部７の上辺が、胴部５の上端に設けた容易に切断できる上部壁１２（図２において胴部弱化線６から反時計周りで保護部弱化線８までの範囲）により接続されると共に、胴部５の外周面と所定の間隔を置いて、胴部５を全周にわたり取り囲むように延設されている。また、この保護部７には、キャップ本体１を開閉する蓋体３がヒンジ部２を介して連結されている。
【００２１】
保護部７には、図２に示すように、胴部弱化線６の位置から時計周り方向の略１３５度の位置に、保護部７を縦方向に切り裂くための単一の保護部弱化線８が形成されており、図５及び図６に示すように、この保護部弱化線８の上部には摘み部１４が形成されている。
この保護部弱化線８は、図２に示すように、保護部７の内周壁に平面視で略Ｖ字状の溝部を縦方向に形成することにより、保護部７の周壁を薄肉して構成されている。
また、図５及び図６に示すように、保護部弱化線８の上部には、凹部１３が連接されており、この凹部１３の湾曲状の右側壁部が摘み部１４として構成される。さらに、この凹部１３の範囲を含む所定の周方向の範囲においては、保護部７と胴部５とを繋ぐ上部壁１２を穿設し空間部１５が形成してある。
【００２２】
そこで、キャップ本体１に蓋体３が被冠されている時には、図５から解るように、凹部１３は極めて小さく使用者の目に止まりにくく、この凹部１３の上方の開放部は、蓋体３により閉塞されているため、指先を凹部１３の開口部分に容易に入れることができないようになっている。
【００２３】
次に、本発明の第１の実施の形態に係る容器に嵌装したキャップ体を、内容液の使用後において、容器口から分離させる方法を図６に基いて、図１及び図２も参照しながら説明する。
まず、保護部７の保護部弱化線８に連接された摘み部１４を、指先で上方から摘んで、矢印に示すように斜下方向に起こし、摘み部１４をめくるようにして引張って、保護部弱化線８を上から下へ切り裂きながら保護部７を分割させる。
次に、この摘み部１４、あるいは分割された保護部７のヒンジ部２側とは反対側の端部を把持して、外方に軽く引張りながら反時計周り方向に、保護部７と胴部５とを繋ぐ上部壁１２を切り裂きながら、胴部弱化線６の位置（保護部７の基部の位置）まで略２２５度の範囲で保護部７と胴部５とを分離させる。
さらに、胴部弱化線６の位置に達したならば、把持している端部を外方に引張りながら引き上げることにより、胴部弱化線６を下から上に切り裂き、胴部５を胴部弱化線６に沿って縦方向に分断することができる。
このように、容器口の外周に位置する胴部５を縦方向に切り裂き、容器口の周壁の一部を露出させると、あとは容易にキャップ体を容器口から除去することができる。
【００２４】
次に、本発明の第２の実施の形態に係る容器から分離可能なキャップ体を図７〜図１０に基づいて説明する。なお、この第２の実施の形態の説明は、第１の実施の形態と対比し、第１の実施の形態との相違点のみを以下に説明する。
保護部７には、図８において胴部弱化線６から時計周り方向の略１３５度の位置に、保護部７を縦方向に切り裂くための保護部弱化線８、８が小間隔で二個所形成されている。
図７〜図９に示すように、二個所の保護部弱化線８、８に挟まれた部位が、保護部７から切除される切除部１７となり、この切除部１７の上部には摘み部１４が上方に突出されている。また、切除部１７が形成される範囲においては、切除部１７と胴部５とを繋ぐ上部壁１２を穿設して空間部１５が形成してある。
なお、摘み部１４は、側面視が略矩形状に形成されているが、使用者が指先で摘みやすいように、図９の一点鎖線で示すように略Ｔ字状、または略Ｌ字状に形成してもよい。
【００２５】
蓋体３には、図７に示すように、切除部１７に連接された摘み部１４と対応する位置に、摘み部１４を収容する凹部１９が形成されており、キャップ本体１に蓋体３が被冠されている時には、摘み部１４は蓋体３の凹部１９に収納され、外部に露出しない構成となっている。
【００２６】
次に、本発明の第２の実施の形態に係る容器に嵌装したキャップ体を、内容液の使用後において、容器口から分離させる方法を図９及び図１０に基いて説明する。
まず、始めに、切除部１７に連接された摘み部１４を摘み、外方に且つ下方に引張り、摘み部１４と一体となった切除部１７を、その両端に設けられた保護部弱化線８、８を上から下へ切り裂きながら、保護部７から分離させると、保護部７の一部は上下に亘って切除部１７の幅だけ除去された状態で分割される。
次に、切断された保護部７のヒンジ部２側とは反対側の端部７ａを把持して、第１の実施の形態と同様に操作し、容器口の外周に位置する胴部５を胴部弱化線６に沿って切り裂き、容器口の周壁の一部を露出させると、あとは容易にキャップ体を容器口から除去することができる。
【００２７】
以上説明した第１及び第２の実施の形態では、使用者が、最初に容器内の内容液を注出する栓２０を開ける時、蓋体３がキャップ体１に被冠されている場合には、第１及び第２の実施の形態共に、分別回収用の摘み部１４を容易に摘むことができないため、内容液を注出する栓２０と誤って先に操作する可能性は少ない。
また、蓋体３を開けた場合には、注出口４を塞ぐ栓２０を開く把持部２１と分別回収用の摘み部１４との両方が外部に露出することになるが、この第１及び第２の実施の形態では、使用者が誤って分別回収用の摘み部１４を操作して保護部７を切り裂いた場合でも、その時点では、容器口と嵌装する胴部５は切り裂かれていないので、その後も通常通りの使用が可能となる。
【００２８】
次に、本発明の第３の実施の形態に係る容器から分離可能なキャップ体を図１１及び図１２に基づいて説明する。なお、この第３の実施の形態の説明は、第１及び第２の実施の形態と対比し、第１及び第２の実施の形態との相違点のみを以下に説明する。
ヒンジ部２の一端（図１１では上端）にほぼ連接する位置の保護部７に保護部弱化線８が形成されると共に、ヒンジ部２を介して保護部弱化線８と反対側の位置、すなわち保護部弱化線８から時計周り方向に略７５度の位置の胴部５に胴部弱化線６が形成されている。
また、保護部弱化線８から時計周り方向で胴部弱化線６までの範囲においては、保護部弱化線８が形成される部位を含んで、保護部７の上辺は胴部５の上端に設けた容易に切断できる上部壁１２（図１参照）により接続されている。
ここで、この形態における摘み部は、ヒンジ部２または蓋体３となる。
【００２９】
次に、本発明の第３の実施の形態に係る容器に嵌装したキャップ体を、内容液の使用後において、容器口から分離させる方法を図１１及び図１２に基いて説明する。
まず、蓋体（摘み部）３を把持し、やや外方に引張るようにして、ヒンジ部２を下方に捩じるように回転させ、保護部７に設けた保護部弱化線８を上から下へ切り裂くと同時に、ヒンジ部２が形成される範囲の上部壁１２を切り裂き、この範囲において保護部７を胴部５から分離する。
次に、この蓋体３を外方に引張りながら時計周り方向に、若干（略１５度）回転させて上部壁１２を切り裂き、胴部弱化線６の位置まで達したならば、把持している蓋体３を外方に引張りながら引き上げることにより、胴部弱化線６を下から上に切り裂き、胴部５を胴部弱化線６に沿って分断することができる。
このように、容器口の外周に位置する胴部５を縦方向に切り裂き、容器口の周壁の一部を露出させると、あとは容易にキャップ体を容器口から除去することができる。
【図面の簡単な説明】
【００３０】
【図１】図１は、本発明の第１の実施の形態に係る容器から分離可能なキャップ体の断面図である。
【図２】図２は、本発明の第１の実施の形態に係る容器から分離可能なキャップ体の底面図である。
【図３】図３は、図２のＡ部の拡大図である。
【図４】図４は、図３のＢ−Ｂ線に沿った断面図である。
【図５】図５は、本発明の第１の実施の形態に係る容器から分離可能なキャップ体の側面図である。
【図６】図６は、本発明の第１の実施の形態に係る容器から分離可能なキャップ体の斜視図である。
【図７】図７は、本発明の第２の実施の形態に係る容器から分離可能なキャップ体の平面図である。
【図８】図８は、本発明の第２の実施の形態に係る容器から分離可能なキャップ体の底面図である。
【図９】図９は、本発明の第２の実施の形態に係る容器から分離可能なキャップ体の構成部材であるキャップ本体の切除部及び摘み部を示す側面図である。
【図１０】図１０は、本発明の第２の実施の形態に係る容器から分離可能なキャップ体の構成部材であるキャップ本体の保護部を分割させた状態を示す斜視図である。
【図１１】図１１は、本発明の第３の実施の形態に係る容器から分離可能なキャップ体を示す底面図である。
【図１２】図１２は、本発明の第３の実施の形態に係る容器から分離可能なキャップ体の構成部材であるキャップ本体の保護部を分割し始める時の斜視図である。
【図１３】図１３は、従来の分離可能なキャップ体を示す底面図である。
【図１４】図１４は、図１３のＣ部の拡大図である。
【符号の説明】
【００３１】
１                      キャップ本体
２                      ヒンジ部
３                      蓋体
５                      胴部
６                      胴部弱化線
７                      保護部
８                      保護部弱化線
１４                    摘み部
１５                    空間部
１７                    切除部
【図１】
2005029232.tif 000003
【図２】
2005029232.tif 000004
【図３】
2005029232.tif 000005
【図４】
2005029232.tif 000006
【図５】
2005029232.tif 000007
【図６】
2005029232.tif 000008
【図７】
2005029232.tif 000009
【図８】
2005029232.tif 000010
【図９】
2005029232.tif 000011
【図１０】
2005029232.tif 000012
【図１１】
2005029232.tif 000013
【図１２】
2005029232.tif 000014
【図１３】
2005029232.tif 000015
【図１４】
2005029232.tif 000016